(57)【特許請求の範囲】
【請求項１】
異なるシリンダー力を有するマルチプルステージの変位を提供するマルチプルステージ油圧シリンダーであって、
シリンダーハウジング（２）と、
前記シリンダーハウジング（２）内に摺動自在に受け入れられて、第１ステージの変位に対して変位する第１ステージピストン（３）と、
前記第１ステージピストン（３）に接続されて、前記第１ステージの変位に対して前記第１ステージピストンと一緒に変位すると共に、第２ステージの変位に対して前記第１ステージピストン（３）に関連して変位する、第２ステージピストン（５）とを備えており、
前記第１ステージピストンと前記第２ステージピストンとは、互いに異なる有効圧力表面積を有しており、
さらに、ステージ変化を滑らかにするためのクッションアレンジメント（７）を備えており、
前記クッションアレンジメント（７）は、前記第１ステージの変位と前記第２ステージの変位との間の移行領域に接近するとき、少なくとも一つの前記ピストン（３、５）によって変位する移動可能及び／又は変形可能なチャンバー壁部材（９）を有する可変容積を持つ少なくとも一つの圧縮チャンバー（８）を含んでおり
前記圧縮チャンバー（８）は、前記チャンバー壁部材（９）の変位及び前記圧縮チャンバー（８）の圧縮に基づいて圧縮されるように、ガス容積に動作可能に接続されており、
前記圧縮チャンバー（８）の少なくとも一部は、前記シリンダーハウジング（２）に組み込まれており、前記移動可能及び／又は変形可能なチャンバー壁部材（９）は、前記シリンダーハウジング（２）内で摺動自在に受け入れられる、
ことを特徴とする、マルチプルステージ油圧シリンダー。
【請求項２】
請求項１に記載のマルチプルステージ油圧シリンダーにおいて、
拡張リミッタ（１１）は、拡張方向において、前記チャンバー壁部材（９）の変位を制限するために設けられており、
圧縮リミッタ（１２）は、圧縮方向において、前記チャンバー壁部材（９）の変位を制限するために設けられており、
これにより、前記チャンバー壁部材（９）は、より圧縮された位置とより膨張された位置との間における制限された変位のみが可能である、
ことを特徴とする、マルチプルステージ油圧シリンダー。
【請求項３】
請求項１又は２に記載のマルチプルステージ油圧シリンダーにおいて、
前記ガス容積は、前記圧縮チャンバー（８）内で受け入れられる、
ことを特徴とする、マルチプルステージ油圧シリンダー。
【請求項４】
請求項１又は２に記載のマルチプルステージ油圧シリンダーにおいて、
前記圧縮チャンバー（８）は、実質的に非圧縮性の液体が充填されており、前記ガス容積は、導管（２８）を介して前記圧縮チャンバー（８）に接続された外部ガススプリング（８１）の可変容積を持つガスチャンバー（８０）内で受け入れられ、前記導管を通じて、前記圧縮チャンバー（８）の圧縮によって前記圧縮チャンバー（８）から放出される非圧縮性液体が、前記ガススプリング（８１）に与えられることで、前記ガス容積の圧縮がもたらされる、
ことを特徴とする、マルチプルステージ油圧シリンダー。
【請求項５】
請求項１〜４のうちのいずれか１項に記載のマルチプルステージ油圧シリンダーにおいて、
前記チャンバー壁部材（９）は、前記第１ステージピストンの変位パスに配置されており、且つ、接続されて前記第１ステージピストン（３）の肩部又は顔部によってより圧縮される位置に向かって駆動される接触部分（１３）を含んでいる、
ことを特徴とする、マルチプルステージ油圧シリンダー。
【請求項６】
請求項１〜５のうちのいずれか１項に記載のマルチプルステージ油圧シリンダーにおいて、
前記移動可能及び／又は変形可能なチャンバー壁部材（９）は、前記シリンダーハウジング（２）の端部の一つにおいて、前記第１ステージピストン（３）のための変位可能なストッパーを構成し、且つ、前記圧縮チャンバー（８）が０よりも大きい初期設定最少容積に到達したとき、前記チャンバー壁部材（９）の変位をストップさせる機械的ストッパー部（１４）を含んでいる、
ことを特徴とする、マルチプルステージ油圧シリンダー。
【請求項７】
請求項１〜６のうちのいずれか１項に記載のマルチプルステージ油圧シリンダーにおいて、
前記移動可能及び／又は変形可能なチャンバー壁部材（９）は、前記シリンダーハウジング（２）の内周表面（１６）と前記第１ステージピストン（１３）に接続されるピストンロッド／スリーブ部（４）の外周表面との間に、摺動自在に受け入れられる変位リング（１０）を含んでいる、
ことを特徴とする、マルチプルステージ油圧シリンダー。
【請求項８】
請求項１〜７のうちのいずれか１項に記載のマルチプルステージ油圧シリンダーにおいて、
前記圧縮チャンバー（８）は、前記シリンダーハウジング（２）のシリンダーグランド（１８）と前記移動可能チャンバー壁部材（９）との間にリング状の圧縮部（１５）を含んでいる、
ことを特徴とする、マルチプルステージ油圧シリンダー。
【請求項９】
請求項１〜８のうちのいずれか１項に記載のマルチプルステージ油圧シリンダーにおいて、
前記移動可能及び／又は変形可能なチャンバー壁部材（９）は、変位可能に受け入れられ、且つ、前記シリンダーハウジング（２）及び／又は前記シリンダーハウジング（２）のシリンダーグランド（１８）の内周壁のリセス（１９）及び／又は階部分の内部に閉じ込められる、
ことを特徴とする、マルチプルステージ油圧シリンダー。
【請求項１０】
請求項１〜９のうちのいずれか１項に記載のマルチプルステージ油圧シリンダーにおいて、
前記第１ステージピストンの有効圧力表面積の、前記第２ステージピストン（５）の有効圧力表面積に対する有効圧力表面積率は、１２０％〜３００％の範囲以内である、
ことを特徴とする、マルチプルステージ油圧シリンダー。
【請求項１１】
請求項１〜１０のうちのいずれか１項に記載のマルチプルステージ油圧シリンダーにおいて、
前記第２ステージピストン（５）は、前記第１ステージピストン（３）中、及び／又は前記第１ステージピストン（３）に接続された中空でスリーブ状のピストンロッド（４）中に形成されたシリンダーリセス（２０）内に、摺動自在に受け入れられる、
ことを特徴とする、マルチプルステージ油圧シリンダー。
【請求項１２】
請求項１〜１１のうちのいずれか１項に記載のマルチプルステージ油圧シリンダーにおいて、
前記第１ステージピストン（３）を駆動するための第１ステージ圧力チャンバーと、前記第２ステージピストン（５）を駆動するための第２ステージ圧力チャンバーとは、共通の圧力供給導管を介して互いに接続可能であり、及び／又は、共通の圧力コネクションに接続可能であり、それにより、前記第１ステージピストン（３）及び前記第２ステージピストン（５）を実質的に同じ圧力にさらす、
ことを特徴とする、マルチプルステージ油圧シリンダー。
【請求項１３】
油圧システムにおける請求項１〜１２のうちのいずれか１項に記載のマルチプルステージ油圧シリンダーの使用であって、
前記マルチプルステージ油圧シリンダー（１）を動作させるための少なくとも一つの定容量形ポンプ又は可変容量形ポンプを含んでいる、
ことを特徴とする、マルチプルステージ油圧シリンダーの使用。
【請求項１４】
請求項１〜１２のうちのいずれか１項に記載のマルチプルステージ油圧シリンダーの使用であって、
採鉱用トラック、採鉱用掘削機、又は類似の採鉱用機材に用いられる、
ことを特徴とする、マルチプルステージ油圧シリンダーの使用。
【発明の詳細な説明】
【技術分野】
【０００１】
本発明は、異なるシリンダー力を有するマルチプルステージの変位を提供するマルチプルステージ油圧シリンダーに関し、シリンダーハウジングと、上記シリンダーハウジング内に摺動自在に受け入れられて、第１ステージの変位に対して変位する第１ステージピストンと、上記第１ステージピストンと接続されて、上記第１ステージの変位に対して上記第１ステージピストンと一緒に変位すると共に、上記第２ステージの変位に対して上記第１ステージピストンに関連して変位する、第２ステージピストンとを備えており、上記第１ステージピストンと上記第２ステージピストンとは、互いに異なる圧力表面積を有しており、さらに、ステージ変化を滑らかにするためのクッションアレンジメントを備えている。
【背景技術】
【０００２】
油圧シリンダーの所定のアプリケーションは、異なるステージの変位において異なる変位力を要求する。例えば、大型採鉱トラックでは、採鉱物質を収集及び輸送するためのダンプ本体は、その物質を投棄するために水平軸に関して傾いており、傾きの移動には、傾きの最初のステージにおいて大きな駆動力が要求される一方で、ダンプ本体が、重心が傾き軸により近いと共にすでに投棄された物質の一部に近い状態を有する、より直角な位置に到達するとき、要求される駆動力はかなり減少する。
【０００３】
一つ又は複数の定容量形ポンプ又は可変容量形ポンプが、一つ又は複数のマルチステージ油圧シリンダーを動作させるために用いられ得るそのような油圧システムにおいて、ステージ変化のタイミングで機械的接触が存在する。シリンダーから要求される力が、拡張される長さの増加に伴って劇的に減少するアプリケーションでは、第１ステージよりもかなり小さい第２ステージを有することが望ましく、その結果、大面積率をもたらす。しかしながら、そのような大面積率は、第１ステージピストンが機械的ストップに到達するとき、衝撃を引き起こす。そのようなマルチステージ油圧シリンダーの所定のアプリケーションでは、基本的には同じ圧力が第１ステージピストン及び第２ステージピストンの双方に与えられ、その結果、第１ステージピストンが変位パスの端部に到達すると共に機械的ストップに衝突するときに、そのようなピストンの大面積率のせいで、かなり強い衝撃が引き起こされる。
【０００４】
そのような衝撃を低減するために、ピストンが上記機械的ストップに衝突する前に、その変位パスの末端でピストンを減速するように、クッションアレンジメントが用いられてもよく、それにより、機械的ストップに衝突するときに上記ピストンの速度を低減する。そのようなクッションアレンジメントのための種々の解決方法が提案されてきた。例えば、特許文献１は、シリンダーからの液体フローを制限してスロットルで調整することにより、油圧シリンダー内のピストンを減速させて且つストップさせるクッション装置を開示している。より具体的には、上記シリンダー内におけるストロークが端部に到達すると、液体フローは減少する。プランジャーはフローパス内で摺動自在に受け入れられ、上記プランジャーは、その端部に近づくピストンにより、上記フローパス内に深く押し込まれ、プランジャーが深く差し込まれるに連れて、フローパスはさらに制限される。しかしながら、これに対する不都合な点は、特に定容量システムにおいて、シリンダー上で動作しない何らかの液体が、不要な熱を生成する安全弁を超えて流れるように要求されることである。
【０００５】
さらに、特許文献２は、ピストンがそのストロークの端部に到達するときに、そのスピードを電気的に制御する方法を開示している。油圧シリンダーシステムは、油圧シリンダーの位置を示す信号を生成するように構成されたセンサーと、シリンダーへの、そしてシリンダーからの油圧液体のフロー割合を制御するために、シリンダーに接続されたバルブとを含んでおり、それにより、センサーに接続された電気的コントローラは、油圧シリンダー位置に応答してバルブの開閉を命令することができる。そのような電気的なセンシング及びコマンドシステムは非常に高価であって、複雑さを上昇させ、そして、厳しい環境条件下ではダメージや機能的エラーを生じやすい。
【０００６】
さらに、特許文献３は、ピストンがエンドボスと衝突するのを完全に防止するクッション装置を開示している。ピストンストロークの端部において、圧縮チャンバーから放出される油圧オイルの一部は、スロットルクリアランスのみを介して、捕捉されて、且つ、放出されてもよい。加えて、ゴムからなる弾性クッションは、ピストンがエンドボスの上に直接衝突するのを防止するために、エンドボスとピストンとの間に配置されている。そのような弾性クッションは、しかしながら、多数の理由により、所定のアプリケーションにおいては望ましくない。特に、弾性クッション部材を有するために要求される間隔は、複数のピストンがシリンダーハウジング内に受け入れられるマルチプルステージシリンダーのような所定のシリンダーでは得られない。また、例えば採鉱トラックやその他の建設機械のような大きなアプリケーション用のシリンダー内に存在する力は、ゴムからなる弾性クッション部材の効果的な使用を禁止する。さらに、弾性クッション部材の耐用能力は、シリンダーが高周期で且つ高負荷で動作されるアプリケーションにおいてかなり制限される。
【先行技術文献】
【特許文献】
【０００７】
【特許文献１】米国特許第４３９７２１８号公報
【特許文献２】米国特許第７１０４０５４号公報
【特許文献３】米国特許公開２００６／０１５１２６９号公報
【発明の概要】
【発明が解決しようとする課題】
【０００８】
それゆえ、本発明の目的は、従来技術の不都合を回避し、且つ、公知の解決方法の改良を提供する、改良されたマルチプルステージ油圧シリンダーを提供することである。
【課題を解決するための手段】
【０００９】
本発明によれば、上記目的は、請求項１にかかるマルチプルステージ油圧シリンダーによって実現される。本発明の好ましい実施形態は、従属請求項に記載されている。
【００１０】
ステージを変化させるときに機械的衝撃を緩和するために、油圧シリンダーのステージ間にガスクッションを組み込むことが提案されている。ガス容積は、各ピストンが変位パスの端部に到達するとき、圧縮されるように配置される。本発明によると、クッションの配置は、第１ステージの変位と第２ステージの変位との間の移行領域に近づくとき、ピストンの少なくとも一つによって変位する移動可能及び／又は変形可能なチャンバー壁部材を有する可変容積を持つ少なくとも一つの圧縮チャンバーを含んでおり、上記圧縮チャンバーは、上記チャンバー壁部材の変位と上記圧縮チャンバーの圧縮に基づいて圧縮されるガス容積に動作可能に接続されている。移動可能及び／又は変形可能なチャンバーとの接続に基づいて、ピストンを駆動する油圧液体は、シリンダーの各ステージを継続して拡張したり引き戻したりし、これにより、クッションチャンバーを圧縮させる。クッション装置が圧縮するに連れて、充填されるガスも圧縮する。ガスが圧縮されるので、クッション装置は、ピストンに対して力を戻すことにより、端部位置に到達するピストンと反応する。ピストンに対する圧力が他方のステージのピストンを移動させるのに必要な圧力よりも大きくなるまで、この力が生じる。そのとき、他方のステージは移動を開始する。このことは、変位パスの端部に到達するピストンとそれぞれのエンドボスとの間の機械的コンタクトがなされるまで、生じ、このため、機械的衝撃を防止する。そのようなガスクッションは、非常にコンパクトに設計され得、設計及び配置において大きな自由度を与える。
【００１１】
本発明の好ましい実施形態によると、圧縮チャンバーの少なくとも一部は、シリンダーハウジング内に組み込まれており、移動可能及び／又は変形可能なチャンバー壁部材は、好ましくは、シリンダーハウジング内で摺動自在に受け入れられ、これにより、接触に基づいて圧縮チャンバーの圧縮を有効する、又は減速するピストンによる作動を有効にする。そのようにシリンダー本体に圧縮チャンバーを組み込むことにより、非常にコンパクトな設計を提供すると共に、クッション装置を作動するのに必要な部材を減少させる。
【００１２】
上記圧縮されたガス容積は、上記圧縮チャンバー内に受け入れられることが可能であって、この実施形態では、圧縮チャンバーは上記ガス容積を圧縮するためのガスチャンバーである。その結果、ガス容積は、少なくとも一部が、シリンダーハウジングの内部に組み込まれてもよい。
【００１３】
代替として、ガスクッションをシリンダー内部に組み込む代わりに、ガスクッションは、外部に配置されて、適切なサイズのポーティングを介してシリンダーの油圧ラインに接続されることも可能である。より具体的には、上記圧縮チャンバーは、例えばオイルのような実質的に非圧縮性の液体で充填されてもよく、その場合、圧縮性のガス容積は、外部のガススプリングの圧縮性のガスチャンバー内に受け入れられるか、又は、導管を介して圧縮チャンバーに動作可能に接続されているガスクッション装置内に受け入れられ、該導管を通じて、圧縮に基づく圧縮チャンバーから放出される非圧縮性の液体が、そこで受け入れられるガス容積を圧縮するために上記外部のガススプリングに与えられえる。そのように圧縮性のガスクッションを外部に配置することは、シリンダーが、ガス容積を圧縮することから生じる熱に晒されることを防止する。加えて、ガスクッションのサイズは、シリンダーのサイズに影響を与えることなく、又は、シリンダーの長手方向の変位を減少させることなく、適切に選択され得る。
【００１４】
上記移動可能及び／又は変形可能なチャンバー壁部材は、異なる方法で構成され得、このチャンバー壁部材は好ましくは、シリンダーの固定本体にポケットを形成するように形作られている。このポケットは、圧縮チャンバーの一部を少なくとも形成し、且つ、ガスクッションが外部に設けられるときには、固定シリンダー本体の外部に延伸するポートを介して、例えば窒素などの圧縮されたガス又は例えばオイルなどの非圧縮性液体で、事前に充填され得る。
【００１５】
有利なことには、ガスチャンバーは、該ガスチャンバーのサイズに応じて変化可能な十分な圧力で、圧縮されたガスが初期充填されている。クッション装置は圧縮されたガスで初期充填されるので、クッション装置自身は通常は、完全に拡張した位置に存在する。
【００１６】
本発明の好ましい実施形態によると、上記チャンバー壁部材は上記第１ステージピストンの変位パスに配置されており、且つ、第１ステージピストンによって接触される接触部分を含んでおり、上記第１ステージピストンは、上記ガスチャンバーの移動可能な壁部材を上記ピストンの肩部又は顔部に直接接触させてもよい。代わりとして、上記ピストンは、例えば、上記ピストンと上記移動可能な壁部材との間に設けられた中間作動部材を介して、上記壁部材と間接的に接触させることができる。シリンダーが変位するに連れて、第１ステージピストンとクッション装置との間の距離は、上記ピストンの上記移動可能な壁部材への接触が生じるまで、減少する。上記クッション装置と接触すると、ピストンは続けて変位を行い、このため、クッション装置の圧縮を引き起こす。
【００１７】
好ましい実施形態によると、上記移動可能及び／又は変形可能なチャンバー壁部材は、上記固定シリンダー本体の内周表面とピストンロッドの外周表面又は上記第１ステージピストンに接続されるスリーブ部分との間に摺動自在に受け入れられる可変リングを含んでもよい。そのような可変リングを提供するとき、圧縮チャンバーは、特にガスで充填されているとき、シリンダーグランドと上記移動可能リングとの間のリング形状の圧縮部分を含んでもよく、好ましくは、上記圧縮チャンバーは、上記移動可能リング、シリンダーハウジングの外周表面、上記シリンダーグランド、及び第１ステージピストンのピストンロッドとの間に規定されたポケットによって形成されている。
【００１８】
本発明の別の好ましい実施形態によると、上記クッション装置の圧縮チャンバーの上記移動可能及び／又は変形可能な壁部材は、上記第１ステージピストンの第１ステージの変位を制限するために、エンドストッパー又はエンドボスの一部を構成してもよい。このため、上記移動可能な壁部材は、二つの機能を実現することができる。一方で、上記移動可能な壁部材は、衝撃緩和を提供するクッションガスを圧縮する機能を果たす。他方で、上記移動可能な壁部材は、上記第１ステージの変位用のストップを規定する。
【００１９】
好ましくは、上記ガスチャンバーは、圧縮され過ぎないように抑制されており、これにより、上記ガスチャンバー内の圧力は制限されている。言い換えると、ガスチャンバーは、最小容積よりも小さい容積にまで圧縮されることはないかもしれない。ガスチャンバーの圧力が、最大許容値を超えることがないように、上記移動可能及び／又は変形可能な壁部材の変位範囲は制限されている。好ましくは、拡張方向における上記チャンバー壁部材の変位を制限する拡張リミッタと、圧縮方向における上記チャンバー壁部材の変位を制限するための圧縮リミッタが設けられており、これにより、より圧縮された位置とより拡張された位置との間における上記チャンバーの限定的な変位のみを実現する。
【００２０】
上記移動可能な壁部材が第１ステージピストン用の機械的ストップを形成する場合、上記移動可能な部材には好ましくは、上記ガスチャンバーが初期設定された最小容積に到達するときに上記チャンバーの壁部材の変位をストップさせる機械的ストッパー部分が設けられている。上記壁部材の上記ストッパー部分は、固定シリンダー本体で適切なサポート部分と係合し、例えば、上記移動可能な壁部材が最大の圧縮位置に到達したときに、上記ストッパー部分は上記シリンダーグランドに係合してもよい。上記ストッパー部分が上記固定本体のサポート部分に接触すると、上記ピストンからのいかなる更なる圧力は、追加のガス圧力に変換されることはないが、上記ストッパー部分を介して上記シリンダーの固定本体に伝達される。
【００２１】
コンパクトな設計と、移動可能な壁部材に与えられる力の直接的なバックアップとを組み合わせるためには、上記移動可能な壁部材は、上記シリンダーハウジング及びそのシリンダーグランドの内周壁のリセス又は階段部分内に、変位可能に受け入れられて且つ捕捉され、それにより、好ましくはリング形状である上記チャンバー壁部材は、上記シリンダーハウジングの内壁の肩部と上記シリンダーグランドとの間で変位してもよい。
【００２２】
シリンダーステージを変化させるときに機械的衝撃を低減するためのガスクッションは、異なるシリンダーの型に利用されてもよく、マルチプルステージピストンの有効圧力表面積の大面積率を有するマルチプルステージ油圧シリンダーにおいて特に有利である。そのようなピストンの表面積率は変化してもよく、典型的には１２０％よりも大きい。好ましくは、第１ステージピストンの有効圧力表面積の第２ステージピストンの有効圧力表面積に対する有効圧力表面積率は、１２０％〜３００％の範囲、好ましくは、１２０％〜２００％の範囲内にある。
【００２３】
大きな軸変位をそれでも提供する小直径を有する、コンパクトで、スリム設計を実現するためには、マルチプルステージピストンが互いに組み込まれてもよい。より具体的には、第１ステージピストン及び／又は上記第１ステージピストンに接続される好ましくは中空で、スリーブ状のピストンロッドには、円筒穴が設けられてもよく、及び／又は、第２ステージピストンが摺動自在に受け入れられるシリンダーリセスを形成してもよい。
【図面の簡単な説明】
【００２４】
【図１】図１は、第１ステージピストン及び第２ステージピストンを有するマルチプルステージ油圧シリンダーの概略的な断面図である。
【図２】図２は、図１に示した油圧シリンダーのシリンダーハウジング内に組み込まれたクッション装置の一部が拡大された断面図である。
【図３】図３は、外部に配置されたガスクッションを有する別の好ましい実施形態に係るクッション装置の一部が拡大された断面図である。
【発明を実施するための形態】
【００２５】
以下に、本発明の好ましい実施形態が、図面に示された実施例を基礎として非常に詳細に説明される。
【００２６】
図１に示すように、油圧シリンダー１は、円筒状でチューブ状のスリーブを構成することができるシリンダーハウジング２を含む固定シリンダー本体を含むことができる。一方で、上記シリンダーハウジング２は、閉じられていて、例えば溶接によって、コネクション又は例えばサポートボス２１のようなサポート部材に固く接続されている。その閉じられた側とは反対にあるシリンダーハウジングの側には、主要なシリンダーピストンロッド４の出口となるシリンダーグランド１８が設けられている。
【００２７】
その内部端では、上記主要なピストンロッド４が、上記シリンダーハウジング２内で摺動自在に受け入れられる第１ステージピストン３と一緒に設けられていると共に、上記シリンダーハウジング２の内部をそれぞれ、上記シリンダーを拡張し、上記シリンダーを引き戻すための二つの圧力チャンバーに分離する。上記ピストン３は、上記シリンダーハウジング２の内周側面を用いて密閉に係合されており、この密閉係合はピストンの摺動を可能にする公知の方法で設けられる。
【００２８】
図１から分かるように、上記第１ピストンロッド４は、中空のスリーブとして形成されており、第２ステージピストン５が摺動自在に受け入れられるシリンダーリセス２０を構成するシリンダー穴を備えている。繰り返すと、上記第２ステージピストン５は上記スリーブ状の第１ステージピストンロッド４の内周表面と密閉係合されており、これにより、上記中空の第１ステージピストンロッド４の内部は、それぞれ拡張したり引き戻したりするための二つの圧力チャンバーに分離されている。
【００２９】
上記第２ステージピストン５は、上記第１ステージピストンロッド４の開口端を越えて拡張する第２ステージピストンロッド６に接続されており、且つ、コネクションや例えば図１のサポートボス２２のようなサポート部材にしっかりと接続されている。
【００３０】
図示していないが、シリンダーアレンジメントにさらなるステージやピストンを備えることができる。例えば、第３ステージピストンは、第２ステージピストンロッド６内で摺動自在に受け入れられ得、且つ、上記サポートボス２２に接続される第３ステージピストンロッドに接続されている。しかしながら、例えば採掘機材や大型の建設機材のような所定のアプリケーションに対しては、２ステージ油圧シリンダーを有することが好ましい。
【００３１】
図１から分かるように、シリンダーアレンジメントは、拡張圧力チャンバーに油圧を与えるための中央導管コネクションＥＸＴを有すると共に、引き戻し圧力チャンバーに油圧を与えるためのもう一つの中央導管コネクションＲＥＴを有してもよい。記述された例では、拡張導管は第１ステージピストン３を通過して第１ステージ及び第２ステージピストンの双方に適用される。油圧オイルは、中央導管コネクションＥＸＴから、第１ステージピストン３の前面に向き合う拡張チャンバーへ直接的に流れてもよい。第１ステージピストン３へ与えられる拡張圧力は、第２ステージステージピストン５に当てられる第１ステージピストン３を介して、伝達路２５を通過することもできる。その結果、ピストン３及び５は、実質的に同じ拡張圧力に晒される。
【００３２】
他方で、引き戻し圧力は、第１ステージピストンロッド４内へ上記第２ステージピストン５を引き込むために、第２ステージピストンロッド６を通じて引き戻しチャンバー内に流れてもよい。さらに、引き戻し圧力はまた、第１ステージピストン３を引き戻すために、引き戻しチャンバーに与えられる。
【００３３】
図２から分かるように、グランド端には、固定本体に組み込まれたクッション装置７が存在する。より具体的には、上記クッション装置又はアレンジメント７は、少なくとも部分的に、シリンダーハウジング２の内部のグランド端に設けられた圧縮チャンバー８を含んでいる。グランド端において、シリンダーハウジング２には階部分２６が設けられており、そこでは、シリンダーハウジング２の内周表面は増加する直径を持つ端部を有している。増加する直径部分内に挿入されるシリンダーグランド１８は、上記階部分２６にまで完全には伸びていない。その結果、上記シリンダーハウジング２の階部分２６と上記シリンダーグランド１８との間に規定されたリセス又はポケットが存在する。
【００３４】
上記ポケット２７内では、リング１０が摺動自在に受け入れられ、上記リング１０は上記ポケットの一部を規定する移動可能な壁部材を構成している。図２に示されるように、上記リング形状の壁部材９、シリンダーグランド１８、第１ステージピストンロッド４及びシリンダーハウジング２は、一緒になって、クッションアレンジメント７の圧縮チャンバー８を規定する。第１ステージピストンロッド４は、シリンダーグランド１８及びリング１０の双方に対して密閉係合し、且つ、第１ステージの変位を有効にするために上記シリンダーグランド１８及びリング状の壁部材９に関連して摺動してもよく、それにより、圧縮チャンバー８の容積は、上記リング形状の壁部材９の軸方向の変位量に連れて変化する。
【００３５】
圧縮チャンバー８はそれ自身、圧縮ガスで事前に充填されてもよく、それにより、移動可能なリング形状の壁部材９は、図２に示された拡張位置に強いられる。ガスは、シリンダーハウジング２の外部に対して開口しているガス導管２８を介して上記ガスチャンバー２内に充填されてもよい。
【００３６】
代わりに、図３に示すように、ガス容積は、シリンダーの外部に設けられてもよい。より具体的には、上記圧縮チャンバー８は、例えばオイルのような実質的に非圧縮性の液体で充填されてもよく、且つ、導管２８を介して外部ガスアキュムレーター又はガススプリング８１に接続されてもよく、それにより、圧縮に基づいて圧縮チャンバー８から放出される非圧縮性の液体を、圧縮ガスが受け入れられる外部ガスチャンバー８０に与えられるようにすることが可能となる。上記外部ガスチャンバーにはまた、ガスチャンバー８０の一部を規定する例えばピストンである移動可能及び／又は変形可能な部材が設けられている。上記導管２８を介して供給される非圧縮性の液体は、上記ガスチャンバー８０の移動可能及び／又は変形可能な壁部材に与えられ、それにより、非圧縮性の液体の圧力をガス容積に伝達する。
【００３７】
図１、２及び３から明らかなように、第１ステージピストン３は、拡張されてその変位パスの端部に到達するとき、リング形状の壁部材９に到達する。第１ステージピストン３がリング形状の壁部材９と接触すると、油圧液体は上記シリンダーの第１ステージを拡張させ、このため、クッション装置を圧縮させる。クッション装置が圧縮するに連れて、充填されるガスも圧縮される。ガスが圧縮されるに連れて、クッション装置は、第１ステージピストンに対して力を戻すことにより、第１ステージピストン３と反応する。この力は、第１ステージピストン３に対する圧力が第２ステージピストン５を動かすために必要な圧力よりも大きくなるまで、生じる。そのとき、第２ステージピストン５は移動を開始する。このことは、固定本体と第１ステージピストン３との間の機械的な接続がなされる前に、生じ、これにより、機械的衝撃を回避する。
【００３８】
クッション装置７は、圧力の傾斜によって定量化されるステージ変化に対して時間を与えることによって、ステージ変化中の衝撃を減少させる。これはガスが、そのような装置がないときのほぼ即時のステージ変化の代わりに、圧縮されるからである。
【００３９】
最大拡張時において、クッション装置７は最大の圧縮がかけられる。この位置において、壁部材９の機械的ストッパー部１４は、シリンダーグランド１８に接される。このため、ハードストップは、ガスチャンバー内のガスの過圧及びシールに対するダメージを防止する移動可能なリング形状の壁部材９内に設計されている。
【００４０】
最大拡張から引き戻すためにシリンダーが加圧されるとき、クッション装置７は、クッション装置７の移動可能なリングが階部分２６によって形成される機械的ストップに到達するまで、第１ステージピストン３の裏側に対して圧力をかけるであろう。
【符号の説明】
【００４１】
１  油圧シリンダー
２  シリンダーハウジング
３  第１ステージピストン
４  第１ステージピストンロッド
５  第２ステージピストン
６  第２ステージピストンロッド
７  クッション装置
８  圧縮チャンバー
９  リング形状の壁部材９
１０  リング
１８  シリンダーグランド
２０  シリンダーリセス
２２  サポートボス
ＲＥＴ  中央導管コネクション
ＥＸＴ  中央導管コネクション
２６  階部分
２７  ポケット
２８  ガス導管
８０  ガスチャンバー
８１  ガススプリング
【図１】
0005997466.tif 000002
【図２】
0005997466.tif 000003
【図３】
0005997466.tif 000004